(57)【要約】 【課題】釣り糸巻取スプールに巻き付けた釣り糸が解れないようにしうるとともに、釣り糸の先端がわかり易く、しかも取扱いが容易なスプールバンドを提供する。【構成】  釣り糸２を巻き付けた釣り糸巻取スプール３の外側に装着することにより、釣り糸２の解れを防止するようにしたスプールバンド１において、リング状とした伸縮性のバンド本体４に、釣り糸２の先端部挿通用のスリット５を設ける。【選択図】  図３
0003172082.tif 000002
【実用新案登録請求の範囲】
【請求項１】
釣り糸を巻き付けた釣り糸巻取スプールの外側に装着することにより、釣り糸の解れを防止するようにしたスプールバンドであって、
リング状とした伸縮性のバンド本体に、釣り糸の先端部挿通用のスリットを設けたことを特徴とするスプールバンド。
【請求項２】
長さの異なる複数のスリットを、バンド本体の長手方向に離間させて設けたことを特徴とする請求項１記載のスプールバンド。
【請求項３】
スリットを幅方向の中央部に設けたことを特徴とする請求項１又は２記載のスプールバンド。
【請求項４】
並列に並べた複数の平ゴムベルトの対向縁同士を縫合し、その縫合部間にスリットを形成したことを特徴とする請求項１〜３のいずれかに記載のスプールバンド。
【考案の詳細な説明】
【技術分野】
【０００１】
本考案は、釣り糸を巻き付けた釣り糸巻取スプールの外側に装着することにより、釣り糸の解れを防止するようにしたスプールバンドに関する。
【背景技術】
【０００２】
従来この種のスプールバンドとして、リング状の伸縮性のバンド本体に、つまみを設けたもの(例えば特許文献１参照)、帯状のベルト本体に、それをスプールに巻き付けた状態で拘束する拘束手段を設け、かつベルト本体の始端部に、釣り糸挿通用の孔部と、この孔部の縁に形設された糸係止部とからなる糸止め部を設けたもの(例えば特許文献２参照)、バンド本体の一端部に挟み板を設け、この挟み板とバンド本体との間に釣り糸(ライン)を挟み止めし得るようにしたもの(例えば特許文献３参照)等がある。
【先行技術文献】
【特許文献】
【０００３】
【特許文献１】特開２００８−８６２２１号公報
【特許文献２】特開２００１−２０４３１２号公報
【特許文献３】特開平１１−２０６２９８号公報
【考案の開示】
【考案が解決しようとする課題】
【０００４】
特許文献１に記載のものは、糸の先端を固定するための固定手段がないため、スプールベルトを外す際、糸が弛むことがあり、また糸の先端部を見つけるのが困難である。
【０００５】
特許文献２および３に記載のものは、糸巻き部を弛まないよう押さえつつ、スプールにスプールバンドを巻き付けなればならず、その作業が煩雑であり、また釣り糸の先端を見ながら、糸巻きの緩みを固く絞り直すことが困難である。
【０００６】
さらにバンドを外す際、糸の先端がバンドで見えない為、糸の先端を探す必要があり、また糸が解れないようにしてバンドを外すには、一種の技量が必要である。
【０００７】
本考案は、従来の技術が有する上記のような問題点に鑑み、釣り糸巻取スプールに巻き付けた釣り糸が解れないようにしうるとともに、釣り糸の先端がわかり易く、しかも取扱いが容易なスプールバンドを提供することを目的としている。
【課題を解決するための手段】
【０００８】
本考案によると、上記課題は、次のようにして解決される。
（１）釣り糸を巻き付けた釣り糸巻取スプールの外側に装着することにより、釣り糸の解れを防止するようにしたスプールバンドにおいて、リング状とした伸縮性のバンド本体に、釣り糸の先端部挿通用のスリットを設ける。
【０００９】
このような構成とすると、バンド本体を、釣り糸を巻き付けた釣り糸巻取スプールの外側に装着する前か、または装着後に、釣り糸の先端部を、バンド本体のスリットに通しておくことにより、釣り糸の先端がわかり易く、またバンド本体の伸縮力により、釣り糸巻取スプールに巻き付けた釣り糸を解れないように保持することができ、取扱いが容易である。
さらに、釣り糸の先端部をスリットより露出させ、かつバンド本体を、釣り糸巻取スプールの外側に装着した状態で、釣り糸の先端部を持って、バンド本体を釣り糸の巻き締め方向に回転させることにより、糸巻きの緩みを固く絞り直すことができる。
【００１０】
（２）上記(１)項において、長さの異なる複数のスリットを、バンド本体の長手方向に離間させて設ける。
【００１１】
このような構成とすると、先端の形状、例えば先端にループがあるか否かや、釣り糸の太さ等により、通し易いスリットを選択して、糸止めすることができる。
【００１２】
（３）上記(１)または(２)項において、スリットを幅方向の中央部に設ける。
【００１３】
このような構成とすると、スリットに通した釣り糸の先端部からバンド本体の内側に侵入した部分が、左右いずれの方向に偏って巻かれていても、必ず、バンド本体により押圧されるので、釣り糸の先端部がスリットから抜け外れるおそれがない。
【００１４】
（４）上記(１)〜(３)項のいずれかにおいて、並列に並べた複数の平ゴムベルトの対向縁同士を縫合し、その縫合部間にスリットを形成する。
【００１５】
このような構成とすると、縫合部間に、スリットが簡単に形成されるので、改めてスリットを形成する作業が不要となり、容易に製造することができる。
【考案の効果】
【００１６】
本考案によると、釣り糸巻取スプールに巻き付けた釣り糸が解れないようにしうるとともに、釣り糸の先端がわかり易く、しかも取扱いが容易なスプールバンドを提供することができる。
【図面の簡単な説明】
【００１７】
【図１】図１は、本考案のスプールバンドの第１の実施形態の斜視図である。
【図２】図２は、同じく、一部拡大平面図である。
【図３】図３は、図１に示すスプールバンドを、釣り糸巻取スプールに装着した状態を示す斜視図である。
【図４】図４は、本考案のスプールバンドの第２の実施形態の一部拡大平面図である。
【考案を実施するための最良の形態】
【００１８】
以下、本考案の実施形態を、図面に基づいて説明する。
図１〜図３は、本考案のスプールバンドの第１の実施形態を示す。
このスプールバンド１は、図３に示すように、釣り糸２を巻き付けた釣り糸巻取スプール(以下、単にスプールという)３の外側に装着することにより、釣り糸２の解れを防止するようにしたものである。
【００１９】
スプールバンド１は、リング状とした伸縮性のバンド本体４に、釣り糸２の先端部挿通用のスリット５を設けたものである。
【００２０】
第１の実施形態においては、伸縮性を有する帯状の平ゴム６、６を並列に並べ、その対向縁同士を、長手方向に適宜の間隔を隔て縫合することにより、互いに隣接する縫合部７、７間に、釣り糸２の先端部を挿通させるための複数のスリット５を形成し、かつ平ゴム６、６を２つ折りにし、その互いに内側に折り返した先端部同士を袋縫いすることにより、リング部８とつまみ部９とからなるバンド本体４を形成している。
【００２１】
図３に示すように、バンド本体４におけるリング部８を、拡張させて、釣り糸２を巻き付けたスプール３の外側に装着し、その後、またはその前に、釣り糸２の先端部を、任意のスリット５に内側から外側に向かって挿通させておくことにより、釣り糸２の先端部がスリット５から外側に突出した状態で、スプール３に巻き付けられた釣り糸２の外周がバンド本体４により覆われ、釣り糸２が解れるのが防止される。
また、釣り糸２の先端部がスリット５から外側に突出しているので、釣り糸の先端の視認が容易である。
【００２２】
スプール３に巻き付けられた釣り糸２に弛みが生じた場合には、スリット５から突出している釣り糸２の先端部を持って、バンド本体４を釣り糸２の巻き締め方向に回転させることにより、糸巻きの緩みを固く絞り直すことができる。
【００２３】
スプールバンド１をスプール３から外すには、スリット５から突出している釣り糸２の先端部と、つまみ部９を持って、スプールバンド１をスプール３から側方に引き出だけでよい。その際、スプールバンド１が外れた直後のスプール３に巻かれた釣り糸２の巻回部を、空いた手で押さえれば作業はより容易となる。
【００２４】
第１の実施形態においては、バンド本体４の幅方向の中央部に、複数のスリット５を、長手方向に連続して形成してあるが、図４に示すように、リング状としたゴム板材により形成したバンド本体１０の幅方向の中央部に、長さの異なる複数のスリット１１、１２を、バンド本体１０の長手方向に離間させて設けてもよい。
【００２５】
このようにすると、先端の形状、例えば先端にループがあるか否かや、釣り糸２の太さ等により、通し易いスリット１１、１２を選択して、糸止めすることができる。
【００２６】
本考案は、上記実施形態のみに限定されるものではなく、実用新案登録請求の範囲を逸脱しない範囲で、例えば次のような変形した態様での実施が可能である。
(１)  スリット５、１１、１２を、バンド本体４、１０の幅方向の一側部または両側部に設ける。
(２)  スリット５、１１、１２を、バンド本体４、１０の長手方向に対して傾斜する方向を向く線に沿って、またはランダムに設ける。
(３)  第１の実施形態においては、縫合部７と縫合部７との間に、スリット５を形成しているが、縫合部７の縫い目を粗くすることにより、この縫い目をもってスリット５とする。
【符号の説明】
【００２７】
１  スプールバンド
２  釣り糸
３  釣り糸巻取スプール
４  バンド本体
５  スリット
６  平ゴム
７  縫合部
８  リング部
９  つまみ部
１０  バンド本体
１１、１２  スリット
【図１】
0003172082.tif 000003
【図２】
0003172082.tif 000004
【図３】
0003172082.tif 000005
【図４】
0003172082.tif 000006